(57)【要約】      （修正有）【課題】撮像部が本体に対して回転可能に保持されているデジタルカメラにおいて自分自身を撮影する時に電子閃光装置を適切に動作させるカメラを提供すること。【解決手段】撮像素子と電子閃光装置２０を備えた撮像部２と、液晶モニタ１７を備えた本体部３とがスイバル機構４で回転可能に連結されたカメラにおいて、撮像部２が自分撮りで撮影者側に回転しているとき、電子閃光装置２０のポップアップを禁止する。【選択図】図６
2005134614.tif 000002
【特許請求の範囲】
【請求項１】
被写体を撮像する撮像手段を備えた撮像部と、
前記撮像手段により撮像された画像を表示する表示手段を備えた本体部と、
前記撮像部と前記本体部とを回転可能に連結する連結部材とを備えたカメラにおいて、
前記撮像部は、非使用時に前記撮像部に収納され、使用時に前記撮像部から突出して使用可能状態に移行する閃光発光手段をさらに備え、
前記閃光発光手段の使用可能状態への移行は、前記撮像部と前記本体部との相対的回転位置に応じて制御されることを特徴とするカメラ。
【請求項２】
請求項１記載のカメラにおいて、
前記撮像部が、その撮像方向が前記本体部の前記表示手段側へ向くように回転しているとき、前記閃光発光手段の使用可能状態への移行は禁止されることを特徴とするカメラ。
【請求項３】
請求項１記載のカメラにおいて、
前記撮像部が、前記本体部の前記表示手段側に位置する被写体を実質的に撮像するような位置に回転しているとき、前記閃光発光手段の使用可能状態への移行は禁止されることを特徴とするカメラ。
【請求項４】
請求項１記載のカメラにおいて、
前記撮像部と前記本体部が、所定の相対回転位置を基準にして所定の回転角度の範囲にあるとき、前記閃光発光手段の使用可能状態への移行は禁止されることを特徴とするカメラ。
【請求項５】
請求項１から４のいずれか記載のカメラにおいて、
前記撮像部が、前記本体部の前記表示手段側とは反対側に位置する被写体を撮像する位置に回転しているとき、前記閃光発光手段の使用可能状態への移行は禁止されないことを特徴とするカメラ。
【請求項６】
請求項２から４のいずれか記載のカメラにおいて、
セルフタイマーを使用する場合、前記閃光発光手段の使用可能状態への移行は禁止されないことを特徴とするカメラ。
【請求項７】
請求項２から４のいずれか記載のカメラにおいて、
自動焦点調節された結果に基づく被写体までの距離を取得する被写体距離取得手段をさらに有し、
前記被写体までの距離が所定距離以上の場合、前記閃光発光手段の使用可能状態への移行は禁止されないことを特徴とするカメラ。
【請求項８】
請求項２から４、６、７のいずれか記載のカメラにおいて、
前記閃光発光手段の使用可能状態への移行はモータにより制御され、
前記閃光発光手段の使用可能状態への移行の禁止は前記モータを回転しないことにより行うことを特徴とするカメラ。
【請求項９】
請求項２から４、６、７のいずれか記載のカメラにおいて、
前記閃光発光手段の使用可能状態への移行は係止部材による係止を解除することにより制御され、
前記閃光発光手段の使用可能状態への移行の禁止は、前記係止部材の解除を禁止することにより行うことを特徴とするカメラ。
【発明の詳細な説明】
【技術分野】
【０００１】
本発明は、電子閃光装置を備えたカメラに関する。
【背景技術】
【０００２】
撮像部が本体部に対して回転可能に保持されるデジタルカメラが知られている（例えば、特許文献１参照）。このようなカメラでは、本体部にディスプレイ（例えば液晶モニタ）が設けられ、撮像部を１８０度回転させて、ディスプレイを見ながら自分自身を撮影することが可能である。また、使用時に自動ポップアップする電子閃光装置を備えたカメラが知られている（例えば、特許文献２参照）。このような電子閃光装置が自動ポップするカメラでは、撮影レンズの光軸と発光部とが離れるので、赤目が軽減されたり大きなコンバータレンズの使用が可能になるなどの利点がある。さらに、撮像部が本体部に対して回転可能に保持されるカメラにおいて、撮像部に自動ポップアップの電子閃光装置を備えることも知られている。
【０００３】
【特許文献１】特開２０００−２３０２０号公報
【特許文献２】実開昭６３−１９５３１４号公報
【発明の開示】
【発明が解決しようとする課題】
【０００４】
しかし、撮像部を通常撮影状態から１８０度回転させて自分自身を撮影（自分撮り）するときに、電子閃光装置が自動ポップアップすると、自分自身を下方から照明することになる。その結果、あご等の隅になる部分の下が白くなり不自然な画像が生じていた。
【課題を解決するための手段】
【０００５】
請求項１の発明は、被写体を撮像する撮像手段を備えた撮像部と、撮像手段により撮像された画像を表示する表示手段を備えた本体部と、撮像部と本体部とを回転可能に連結する連結部材とを備えたカメラに適用され、撮像部は、非使用時に撮像部に収納され、使用時に撮像部から突出して使用可能状態に移行する閃光発光手段をさらに備え、閃光発光手段の使用可能状態への移行は、撮像部と本体部との相対的回転位置に応じて制御されることを特徴とするものである。
請求項２の発明は、請求項１記載のカメラにおいて、撮像部が、その撮像方向が本体部の表示手段側へ向くように回転しているとき、閃光発光手段の使用可能状態への移行は禁止されることを特徴とするものである。
請求項３の発明は、請求項１記載のカメラにおいて、撮像部が、本体部の表示手段側に位置する被写体を実質的に撮像するような位置に回転しているとき、閃光発光手段の使用可能状態への移行は禁止されることを特徴とするものである。
請求項４の発明は、請求項１記載のカメラにおいて、撮像部と本体部が、所定の相対回転位置を基準にして所定の回転角度の範囲にあるとき、閃光発光手段の使用可能状態への移行は禁止されることを特徴とするものである。
請求項５の発明は、請求項１から４のいずれか記載のカメラにおいて、撮像部が、本体部の表示手段側とは反対側に位置する被写体を撮像する位置に回転しているとき、閃光発光手段の使用可能状態への移行は禁止されないことを特徴とするものである。
請求項６の発明は、請求項２から４のいずれか記載のカメラにおいて、セルフタイマーを使用する場合、閃光発光手段の使用可能状態への移行は禁止されないことを特徴とするものである。
請求項７の発明は、請求項２から４のいずれか記載のカメラにおいて、自動焦点調節された結果に基づく被写体までの距離を取得する被写体距離取得手段をさらに有し、被写体までの距離が所定距離以上の場合、閃光発光手段の使用可能状態への移行は禁止されないことを特徴とするものである。
請求項８の発明は、請求項２から４、６、７のいずれか記載のカメラにおいて、閃光発光手段の使用可能状態への移行はモータにより制御され、閃光発光手段の使用可能状態への移行の禁止はモータを回転しないことにより行うことを特徴とするものである。
請求項９の発明は、請求項２から４、６、７のいずれか記載のカメラにおいて、閃光発光手段の使用可能状態への移行は係止部材による係止を解除することにより制御され、閃光発光手段の使用可能状態への移行の禁止は、係止部材の解除を禁止することにより行うことを特徴とするものである。
【発明の効果】
【０００６】
本発明は、以上説明したように構成しているので、次のような効果を奏する。例えば、撮像部と本体部との相対的回転位置が自分撮りをすると想定される場合、閃光発光手段の使用可能状態への移行を禁止することができるので、不自然な画像の取得が防止できる。
【発明を実施するための最良の形態】
【０００７】
−第１の実施形態−
図１は、使用状態にある本実施の形態のカメラ１を正面から見た図である。カメラ１は、撮像部２と本体部３とがスイバル機構４により回転可能に連結されているデジタルスチルカメラである。本実施の形態では、撮像部２は、本体部３に対して３００度の範囲で回転可能である。撮像部２は、撮影レンズ１１と光学ファインダ１２と内部に不図示の撮像素子（例えばＣＣＤ）を有する。本体部３は、撮影者がカメラ１を保持するためのグリップ部１３と、本体部３上部に、回転式の電源スイッチ１４と、シャッターボタン１５と、各種のコマンドを指定するコマンドダイヤル１６を有する。図１は、撮影レンズ１１の開口部をカメラ１をはさんで撮影者とは反対側に位置する被写体側に向けている図である。すなわち、通常の被写体を撮影する状態である。以下、これを通常撮影状態とも言う。
【０００８】
図２は、撮影レンズ１１を撮影者側に向けた状態のカメラ１を背面から見た図である。これを、背面側撮影状態とも言う。本体部３の背面には、液晶モニタ１７と、フォーカスモードボタン１８と、メニューボタン１９と、マルチセレクタスイッチ２０と、液晶モニタボタン２１と、再生ボタン２２と、ズームボタン２３とが備えられている。通常撮影状態は、撮影レンズ１１の開口部すなわち撮影方向を液晶モニタ１７とは反対側に向くように撮像部２を回転させた状態であり、背面側撮影状態とは、撮影レンズ１１の開口部を液晶モニタ１７側に向くように撮像部２を回転させた状態である。撮影者は、通常、グリップ部１３を握ってカメラ１を保持し、カメラ１の背面にある液晶モニタ１７を見ながら撮影を行うので、撮影者側と液晶モニタ１７側と背面側とは、カメラ１を基準にした方向としては同義である。
【０００９】
液晶モニタ１７は、撮影時、被写体の画像を表示する電子ファインダとして働く。すなわち、被写体のスルー画像を表示する。また、撮像した画像（フリーズ画像）も表示する。さらに、カメラ１内のメモリ（不図示）に記憶された過去に撮像した画像をカメラ１上で再生するときにも使用される。すなわち、再生画像が表示される。さらに、各種のメニュー画面を表示し、各種のモード等の設定を行うときにも使用される。モード等の設定時には、上述した各種のボタンやスイッチが使用される。マルチセレクタスイッチ２０は、十字キーとも呼ばれ、上下左右への操作および真ん中へのプッシュ操作に動作するスイッチである。
【００１０】
図３は、カメラ１を非使用状態、すなわち、撮像部２を収納した状態を、カメラ１背面から見た図である。符号２０は電子閃光装置であり、符号２４は電子閃光モードボタンである。電子閃光装置２０と電子閃光モードボタン２４については、後述する。
【００１１】
本実施の形態のカメラ１では、前述したように、図１の状態で、通常の被写体の撮影を行い、図２の状態で撮影者自身（以下、自分撮りと言う）や撮影者側に位置する被写体を撮影することが可能である。撮像部２は、図２の背面側撮影状態から図３の収納状態および図１の通常撮影状態を経て３００度回転可能である。すなわち、撮像部２を、図３の収納状態から９０度撮影者側に倒した位置から３００度通常の被写体側へ回転可能である。
【００１２】
図４は、通常撮影状態で、電子閃光装置２０がポップアップされた状態を示す図である。電子閃光装置２０は、エレクトロニックフラッシュとも言う。本実施の形態のカメラ１は、被写体の光量が足りないとき、電子閃光装置２０を自動的に閃光発光する自動発光モードを有する。自動発光モードでは、シャッターボタン１５の半押し時に、カメラ１が被写体の光量が足りないと判断すると、電子閃光装置２０が収納されている場合（非使用時の状態）から自動的にポップアップし使用可能状態にする。その後、シャッターボタン１５全押しに伴いカメラ１の制御装置からの閃光発光信号が電子閃光装置２０に送信される。電子閃光装置２０は、閃光発光信号に応じて所定光量発光する。
【００１３】
図１は、電子閃光装置２０が収納された状態を示す図である。図４に示されている通り、電子閃光装置２０がポップアップされると、電子閃光装置２０は撮像部２から突出する位置にセットされる。このように電子閃光装置２０をポップアップすると、発光部２２が撮影レンズ１１のレンズ面あるいは光軸から少し離れた位置にセットされる。これにより、赤目現象が低減され、被写体の影をより美しく自然に描写することができる。
【００１４】
一方、背面側撮影状態で電子閃光装置２０が自動ポップアップされると、図２からも想像できるように、電子閃光装置２０はカメラ１下側へ突出することになる。この状態で例えば自分撮りをすると、閃光はカメラ１の下側から撮影者の顔を照光することになり、あごなどの本来影になる部分が白くなり不自然な画像になる。
【００１５】
背面側撮影状態で撮影するとき、自分撮りをする場合が大部分であると想定される。従って、本実施の形態では、上記した不自然な画像を防止するために、背面側撮影状態でかつ自動発光モードのとき、電子閃光装置２０のポップを禁止し、自動閃光発光を禁止する。
【００１６】
背面側撮影状態は、撮像部２の回転角度によって検出される。具体的には、撮像部２が図３の状態から９０度撮影者側に回転する範囲を背面側撮影状態として検出する。回転角度は、図３の状態を基準にした撮像部２の本体部３に対する相対的回転角度（相対的回転位置）である。
【００１７】
背面側への上限回転角度を９０度としたのは、前述したように、撮像部２は、図３の収納状態から９０度背面側に倒した位置から３００度通常の被写体側へ回転可能であるからである。撮像部２が、背面側に９０度以上回転が可能であれば、９０度以上を上限にしてもよい。
【００１８】
次に、電子閃光装置２０のポップアップおよび閃光発光の禁止の制御について説明する。図５は、カメラ１のブロック図である。図５は、電子閃光装置２０のポップアップおよび閃光発光の禁止の制御に関係するブロックのみ示している。制御装置１０１は、マイクロプロセッサおよび周辺回路からなり、内部メモリに制御プログラムが格納され、ポップアップおよび閃光発光の禁止の制御を行う。制御装置１０１は、カメラ１に関する全体の制御も行うがその説明は省略する。回転検出部１０２は、撮像部２と本体部３の相対的回転位置を検出し制御装置１０１に入力する。ソレノイド駆動部１０３は、制御装置１０１からの信号に応じて、ソレノイド（プランジャー）１０４を駆動する。ソレノイド１０４が駆動されると、電子閃光装置２０はポップアップする。
【００１９】
図６は、回転検出部１０２の詳細を示す図である。図６（ａ）は、カメラ１の非使用状態を示す図であり、図３と同等の図である。図６（ｂ）は、カメラ１が図６（ａ）の状態のときの回転検出部１０２を示す。回転検出部１０２は、スイッチ１１１とカム板１１２から構成され、カム板１１２は溝１１３を有する。スイッチ１１１は、スイバル機構４近辺の撮像部２に固定され、撮像部２の回転とともに回転移動する。カム板１１２は、スイバル機構４の本体部３に固定され、本体部３の回転とともに回転する。穴１１５は、スイバル機構４の撮像部２と本体部３との連結軸が貫通する。
【００２０】
スイッチ１１１は、係合部１１４が溝１１３と係合しているときオンし（図６（ａ）、図６（ｆ））、係合していないときオフする（図６（ｂ））。スイッチ１１１が、オンしているときは、電子閃光装置２０のポップアップおよび閃光発光は禁止される。
【００２１】
図６（ｃ）は、カメラ１の通常撮影状態を示す図であり、図４と同等の図である。図６（ｄ）は、カメラ１が図６（ｃ）の状態のときの回転検出部１０２を示す。スイッチ１１１の係合部１１４は溝１１３との係合がはずれ、スイッチ１１１はオフ信号を出力する。図６（ｅ）は、カメラ１の背面側撮影状態を示す図であり、図２と同等の図である。図６（ｆ）は、カメラ１が図６（ｅ）の状態のときの回転検出部１０２を示す。スイッチ１１１の係合部１１４は溝１１３と係合し、スイッチ１１１はオン信号を出力する。溝１１３は、撮像部２を図３の収納状態から９０度背面側に倒した範囲でスイッチ１１１の係合部１１４と係合するように形成されている。
【００２２】
このようにして、撮像部２と本体部３の相対的回転位置に応じて回転検出部１０２からスイッチ１１１のオンオフ信号が図５の制御装置１０１に出力される。制御装置１０１は、回転検出部１０２からスイッチ１１１のオン信号を入力している間は、ソレノイド駆動部１０３への駆動信号を出力しないとともに、電子閃光装置２０への閃光発光信号も出力しない。すなわち、電子閃光装置２０のポップアップは禁止されるとともに、閃光発光も禁止される。
【００２３】
一方、回転検出部１０２からスイッチ１１１のオフ信号が入力されている間は、制御装置１０１は、必要に応じて、ソレノイド駆動部１０３への駆動信号を出力するとともに、電子閃光装置２０への閃光発光信号を出力する。必要に応じてとは、自動発光モードが設定されていて被写体の光量が少ないと判断され電子閃光装置２０の発光が必要であると判断されたときである。
【００２４】
図７は、電子閃光装置２０のポップアップ機構の詳細を示す図である。図７（ａ）は、電子閃光装置２０が撮像部２に収納された状態を示す図である。電子閃光装置２０は、軸２０１を中心に回転し、撮像部２からポップアップして突出したり撮像部２に収納したりする。電子閃光装置２０が撮像部２に収納されているときは、係止部材２０２のつめが電子閃光装置２０の係止穴２０３に係合し、収納状態が保たれる。
【００２５】
制御装置１０１がソレノイド駆動部１０３にソレノイド駆動信号を出力すると、ソレノイド１０４は駆動され、棒２０４を引き込む動作をする。棒２０４は、連結棒２０５を介して係止部材２０２と連結されている。係止部材２０２は、ばね２０６により電子閃光装置２０の係止穴２０３側に付勢されており、連結している棒２０４も、通常、ソレノイド１０４から突き出た状態に付勢されている。
【００２６】
ソレノイド１０４が駆動され棒２０４が引き込まれると、係止部材２０２のつめと電子閃光装置２０の係止穴２０３との係合が外れる。電子閃光装置２０は、不図示のばねによりポップアップする側に付勢されており、係止部材２０２と係止穴２０３との係合が外れると、ポップアップする。図７（ｂ）は、係止部材２０２と係止穴２０３との係合が外れ、電子閃光装置２０がポップアップした状態を示す図である。
【００２７】
図８は、制御装置１０１が行う制御のフローチャートを示す図である。シャッターボタン１５が半押しされたときに起動されるルーチンである。カメラ１は、通常、シャッターボタン１５の半押しでオートフォーカスをしながら構図を決めたりする。また、シャッターボタン１５を一気に全押しする場合であっても、必ず半押しされた状態を通過する。従って、図８のルーチンは、シャッターボタン１５が半押しされたときに起動するルーチンとする。
【００２８】
ステップＳ１では、自動発光モードか否かを判断する。自動発光モードは、撮影者が電子閃光モードボタン２４を操作して予め設定している。閃光モードには、自動発光モードと、赤目軽減自動発光モードと、発光禁止モードと、強制発光モードと、スローシンクロモードとがあり、電子閃光モードボタン２４が押されるたびに順次モードが移っていく。なお、自動発光モードと赤目軽減自動発光モードは、本実施の形態では、まとめて自動発光モードとする。
【００２９】
ステップＳ１で自動発光モードであるとステップＳ２へ進み、自動発光モードでないと判断すると閃光発光は不要であるので処理を終了する。ステップＳ２では、被写体光量は十分か否か判断をする。被写体光量が十分か否かは、不図示の撮像素子で撮像された被写体の撮像信号と、設定された絞りと、所定のシャッタースピードとに基づき判断される。ステップＳ２で、被写体光量が十分であると判断すると、閃光発光は不要であるので処理を終了する。被写体光量は十分でないと判断するとステップＳ３へ進む。
【００３０】
ステップＳ３では、撮像部２と本体部３の相対的回転位置が電子閃光装置２０のポップアップおよび閃光発光を禁止する範囲か否かを判断する。すなわち、背面側撮影状態か否かを判断する。これは、回転検出部１０２のスイッチ１１１からの信号がオン信号かオフ信号か否かにより判断する。オン信号の場合は、ポップアップおよび閃光発光を禁止する範囲であると判断し、オフ信号の場合は、ポップアップおよび閃光発光を許可する範囲であると判断する。
【００３１】
ステップＳ３で、相対的回転位置がポップアップ等を禁止する範囲であると判断すると、閃光発光をしないので処理を終了する。相対的回転位置がポップアップ等を許可する範囲であると判断すると、ステップＳ４に進む。ステップＳ４では、ソレノイド駆動部１０３に、ソレノイド駆動信号を出力する。すなわち、電子閃光装置２０のポップアップを行う。次に、シャッターボタン１５は全押しされたとすると、ステップＳ５において、電子閃光装置２０に閃光発光指令信号を出力する。電子閃光装置２０は、ポップアップされた状態で、閃光発光を行う。
【００３２】
以上のようにして、第１の実施の形態では、背面側撮影状態にあるとき、電子閃光装置２０のポップアップを禁止するとともに電子閃光装置２０の閃光発光を禁止する。これにより、自己撮りの場合に自動的に電子閃光装置２０が働いて不自然な画像が取得されるのを防止することができる。ポップアップの禁止は、係止部材２０２の係合を外すソレノイド１０４の動作を禁止することにより行い、簡単な機構によりポップアップの禁止を実現できる。
【００３３】
なお、第１の実施の形態では、ポップアップした電子閃光装置２０は、手動（マニュアル）で撮像部２へ押し込んで収納状態に戻す。従って、電子閃光装置２０がポップアップした状態で、図８の処理が実行される場合がある。この場合は、電子閃光装置２０はポップアップされたままであるが、シャッターボタン１５が全押しされても閃光発光の指令自体を出力しないので、同様に不自然な画像の取得を防止することができる。
【００３４】
−第２の実施の形態−
第１の実施の形態では、電子閃光装置２０のポップアップを、ばね部材で付勢された状態で係止を外すことによって行っていた。第２の実施の形態では、電子閃光装置２０のポップアップを、モータにより行うものである。
【００３５】
図９は、第２の実施の形態のカメラ１のブロック図である。第１の実施の形態と同様な構成要素には同一の符号を付している。第１の実施の形態と異なるところは、ソレノイド駆動部１０３の代わりにモータ駆動部３０１が設けられ、ソレノイド１０４の代わりにモータ３０２が設けられている。
【００３６】
図１０は、第２の実施の形態における、電子閃光装置２０のポップアップ機構の詳細を示す図である。図１０（ａ）は、電子閃光装置２０が撮像部２に収納された状態を示す図であり、図１０（ｂ）は、電子閃光装置２０が撮像部２からポップアップされた状態を示す図である。
【００３７】
電子閃光装置２０には、ウォームギア３０３が取り付けられ、モータ３０２の回転軸の先端に取り付けられたウォーム３０４と係合する。ウォームギア３０３は、電子閃光装置２０に固定され、回転軸３０５を中心に電子閃光装置２０とともに回転する。従って、モータ３０２の回転が所定の減速比でウォームギア３０３の回転軸３０５を中心とした回転に変換される。ウォームギア３０３は電子閃光装置２０に固定されているので、電子閃光装置２０は、ウォームギア３０３の回転に伴い回転軸３０５を中心に回転する。すなわち、電子閃光装置２０は、モータ３０２の正転逆転により、撮像部２からポップアップしたり撮像部２へ収納されたりする。
【００３８】
制御装置１０１は、モータ駆動部３０１を制御することにより、モータ３０２の正転逆転を制御する。例えば、モータ３０２が正転すると、電子閃光装置２０は撮像部２からポップアップされ、モータ３０２が逆転すると、電子閃光装置２０は撮像部２に収納される。制御装置１０１の制御は、第１の実施の形態の図８の制御と同様である。ただし、ステップＳ４において、ソレノイド駆動部１０３にソレノイド駆動信号を出力する代わりに、モータ駆動部３０１にモータ３０２を正転させる駆動信号を出力する。
【００３９】
また、ステップＳ３において、相対的回転位置がポップアップ等を禁止する範囲であると判断して処理を終了するとき、電子閃光装置２０がポップアップされているかどうかを判断する。そして、ポップアップされていると判断すると、モータ駆動部３０１にモータ３０２を逆転させる駆動信号を出力し、電子閃光装置２０を撮像部２に収納させてから処理を終了する。電子閃光装置２０がポップアップされているかどうかを判断するには、電子閃光装置２０がポップアップされているときに働くリミットスイッチ（不図示）などを設ければよい。このようにすることにより、電子閃光装置２０が使用されないときは、自動的に収納状態に戻される。
【００４０】
以上により、第２の実施の形態においても、背面側撮影状態にあるとき、電子閃光装置２０のポップアップを禁止するとともに電子閃光装置２０の閃光発光を禁止することができる。ポップアップの禁止は、単純にモータ３０２の駆動を禁止すればよく、簡単な機構によりポップアップの禁止を実現できる。さらに、電子閃光装置２０を使用しない場合はには、モータ３０２を逆転させることにより自動的に収納状態に戻すことができる。第１の実施の形態のように、手動で電子閃光装置２０を押し込む必要がなく、撮影者の手を煩わせる必要がない。
【００４１】
−第３の実施の形態−
第１の実施の形態では、背面側撮影状態で撮影するとき、自分撮りをする場合であると想定して、電子閃光装置２０のポップアップおよび自動閃光発光を禁止していた。しかし、背面側撮影状態であっても、セルフタイマー撮影をするときはすぐ近くの自分自身を撮影する場合でないと想定できる。具体的には、カメラ１を撮影者が手に持って自分撮りをする場合でないと想定できる。このような場合、撮影者自身である被写体までの距離は少し離れているので、電子閃光装置２０のポップアップおよび閃光発光を禁止する必要がない。第３の実施の形態は、背面側撮影状態を判断するにあたり、セルフタイマーを使用しているかどうかを考慮するものである。
【００４２】
図１１は、第３の実施の形態の制御装置１０１が行う制御のフローチャートを示す図である。第１の実施の形態の図８と同じ内容のステップには同じステップ番号をつけ、その説明を省略する。また、カメラ１の構成も第１の実施の形態と同様であるので、その説明を省略する。以下、図８と異なるステップについて説明する。
【００４３】
ステップＳ１１では、撮像部２と本体部３の相対的回転位置が電子閃光装置２０のポップアップおよび閃光発光を禁止する範囲か否かを判断する。ステップＳ１１で、相対的回転位置がポップアップ等を禁止する範囲であると判断すると、ステップＳ１２へ進む。ステップＳ１２では、セルフタイマーを使用しているかどうかを判断する。ステップＳ１２で、セルフタイマーを使用していないと判断すると、ポップアップおよび閃光発光を禁止すべきであるので処理を終了する。
【００４４】
一方、ステップＳ１２で、セルフタイマーを使用していると判断すると、ポップアップおよび閃光発光を禁止する必要がないので、ステップＳ４に進む。また、ステップＳ１１で、相対的回転位置がポップアップ等を禁止する範囲でないと判断すると、やはりポップアップおよび閃光発光を禁止する必要がないので、ステップＳ４に進む。
【００４５】
以上のように、第３の実施の形態では、自動発光モードかつ背面側撮影状態であっても、セルフタイマー撮影をするときは、電子閃光装置２０のポップアップおよび閃光発光を許可することができる。これにより、例えば、液晶モニタ１７を見ながらセルフタイマーで集合写真などを撮影することができ、暗い場合は自動的に電子閃光装置２０がポップアップし閃光撮影がなされる。もちろん、セルフタイマーを使用しないで自分撮りが想定される場合は、ポップアップおよび閃光発光が禁止される。
【００４６】
−第４の実施の形態−
第３の実施の形態では、自動発光モードかつ背面側撮影状態であっても、セルフタイマー撮影をするときは、電子閃光装置２０のポップアップおよび閃光発光を許可するようにした。これは、背面側撮影状態であっても、被写体がカメラから離れていると想定できるからである。そこで、第４の実施の形態では、被写体が離れているかどうかをオートフォーカスにより得られる被写体までの距離を使用して判断するものである。
【００４７】
図１２は、第４の実施の形態のカメラ１のブロック図である。第１の実施の形態と同様な構成要素には同一の符号を付している。第１の実施の形態と異なるところは、撮像素子４０２の被写体の撮像信号を見ながら、レンズ駆動部４０１を介してフォーカスレンズ４０３を駆動しオートフォーカスを行うものである。なお、オートフォーカスの制御は公知な内容であるのでその説明は省略する。オートフォーカスがなされた結果、制御装置１０１は被写体までの距離データを取得することができる。その他の構成要素についての説明は省略する。
【００４８】
第４の実施の形態では、この被写体までの距離データを使用して、背面側撮影状態であっても、電子閃光装置２０のポップアップおよび閃光発光を禁止するか否かを判定する。制御装置１０１の制御は、第３の実施の形態の図１１のステップＳ１２が異なるのみである。従って、ステップＳ１２に対応するステップのみ説明をし、その他のステップの内容は説明を省略する。
【００４９】
第４の実施の形態では、第３の実施の形態の図１１のステップＳ１２でセルフタイマーを使用しているかどうかを判断する代わりに、オートフォーカス処理で得られた被写体までの距離が所定距離（例えば１ｍ）以上かどうかを判断する。所定距離以上でないと判断すると、自己撮りであると想定できるので、ポップアップおよび閃光発光を禁止すべきであるので処理を終了する。
【００５０】
一方、所定距離以上であると判断すると、ポップアップおよび閃光発光を禁止する必要がないので、ステップＳ４に進む。その他の処理は、第３の実施の形態の図１１と同様である。
【００５１】
以上のように、第４の実施の形態では、自動発光モードかつ背面側撮影状態であっても、被写体が所定距離以上離れていると判断するときは、電子閃光装置２０のポップアップおよび閃光発光を許可することができる。これにより、背面側撮影状態で、近接した撮影者自身以外の被写体も撮影することができ、スイバル機構を有するカメラの利点を最大限利用することができる。もちろん、被写体が所定距離以内で自分撮りが想定される場合は、ポップアップおよび閃光発光が禁止される。
【００５２】
以上説明したカメラ１を使用すると次のような効果を奏する。
（１）撮像部２を回転して自分撮りをすることが想定される場合、電子閃光装置２０のポップアップおよび閃光発光を禁止するので、あごの下などが白くなったりするような不自然な画像の取得が防止できる。
（２）簡単な機構により電子閃光装置２０のポップアップの禁止を実現できる。
（３）すでに電子閃光装置２０がポップアップされた状態であっても、閃光発光の指令自体を出力しないので、同様に不自然な画像の取得を防止することができる。
（４）第２の実施の形態では、電子閃光装置２０のポップアップは、モータ３０２の駆動により制御されているので、簡単な機構によりポップアップの禁止を実現できる。さらに、自動的に収納状態に戻すことができ、手動で電子閃光装置２０を押し込む必要がなく、撮影者の手を煩わせる必要がない。
（５）第３の実施の形態では、自動発光モードかつ背面側撮影状態であっても、セルフタイマー撮影をするときは、自分撮りでないと想定できる。これにより、背面側撮影状態をよりきめ細かく分類して、適切にポップアップおよび閃光発光が禁止できる。
（６）第４の実施の形態では、自動発光モードかつ背面側撮影状態であっても、被写体までの距離が離れているときは、自分撮りでないと想定できる。これにより、背面側撮影状態をよりきめ細かく分類して、適切にポップアップおよび閃光発光が禁止できる。
【００５３】
なお、上記実施の形態では、撮像部２の本体部３に対する回転可能範囲は、３００度の例を説明したが、この内容に限定する必要はない。その他の範囲であってもよい。
【００５４】
また、上記実施の形態では、撮像部２が図３の状態から９０度撮影者側に回転する範囲を背面側撮影状態と検出する例を説明したが、この内容に限定する必要はない。例えば、６０度から９０度の範囲としてもよい。さらに、０度近辺と６０度から９０度の範囲としてもよい。これにより、カメラ１の非使用状態（図３）のときと、確実に自分撮りをすると想定される６０度から９０度の範囲のみにおいてポップアップおよび閃光発光の禁止をすることができる。なお、図６において、ポップアップおよび閃光発光の禁止をさせたいとする角度範囲に応じて、溝１１３を形成すればよい。
【００５５】
また、上記実施の形態では、背面側への上限回転角度を９０度としたが、この内容に限定する必要はない。撮像部２が、背面側に９０度以上回転が可能であれば、９０度以上を上限にしてもよい。例えば、６０度から１２０度の範囲をポップアップおよび閃光発光禁止範囲としてもよい。
【００５６】
また、上記では、回転角度６０度、９０度、１２０度、３００度等具体的な数値を使用しているが、厳密にその数値の角度でなくてもよい。ある程度の目安としてその数値の角度であればよい。すなわち、約６０度、約９０度という数値であればよい。また、これらの数値は目安の値である。すなわち、実質的に自分撮りするような回転角度であればよい。また、確実に自分撮りをすると想定される角度すなわち９０度を含む範囲であってもよい。
【００５７】
また、上記実施の形態では、撮像部２と本体部３とがスイバル機構で連結されている例で説明をしたが、この内容に限定する必要はない。本体部３とは、最低限モニタを有するユニットであり、本体部に代えて表示部（表示ユニット）と言ってもよい。また、撮像部２は、撮像素子と撮影レンズ（撮影光学系）を有しているので、レンズ部（レンズユニット）あるいはカメラ部と言ってもよい。
【００５８】
また、上記実施の形態では、デジタルスチルカメラの例で説明をしたが、この内容に限定する必要はない。動画を撮像するビデオカメラやその他の撮像装置であってもよい。すなわち、電子閃光装置を有する撮像部と表示モニタを有する本体部（あるいは表示部）とが回転可能に連結されているあらゆる撮像装置にも本発明は適用可能である。
【００５９】
上記では、種々の実施の形態および変形例を説明したが、本発明はこれらの内容に限定されるものではない。本発明の技術的思想の範囲内で考えられるその他の態様も本発明の範囲内に含まれる。
【図面の簡単な説明】
【００６０】
【図１】使用状態にあるカメラを正面から見た図である。
【図２】撮影レンズを撮影者側に向けた状態のカメラを背面から見た図である。
【図３】カメラを非使用状態（撮像部を収納した状態）を、カメラ背面から見た図である。
【図４】通常撮影状態で、電子閃光装置がポップアップされた状態を示す図である。
【図５】第１の実施の形態のカメラのブロック図である。
【図６】第１の実施の形態における、回転検出部の詳細を示す図である。
【図７】第１の実施の形態における、電子閃光装置のポップアップ機構の詳細を示す図である。
【図８】第１の実施の形態における、制御装置が行う制御のフローチャートを示す図である。
【図９】第２の実施の形態のカメラのブロック図である。
【図１０】第２の実施の形態における、電子閃光装置のポップアップ機構の詳細を示す図である。
【図１１】第３の実施の形態の制御装置が行う制御のフローチャートを示す図である。
【図１２】第４の実施の形態のカメラのブロック図である。
【符号の説明】
【００６１】
１  カメラ
２  撮像部
３  本体部
４  スイバル機構
１１  撮影レンズ
１２  光学ファインダ
１３  グリップ部
１４  電源スイッチ
１５  シャッターボタン
１６  コマンドダイヤル
１７  液晶モニタ
１８  フォーカスモードボタン
１９  メニューボタン
２０  マルチセレクタスイッチ
２１  液晶モニタボタン
２２  再生ボタン
２３  ズームボタン
２４  電子閃光モードボタン
【図１】
2005134614.tif 000003
【図２】
2005134614.tif 000004
【図３】
2005134614.tif 000005
【図４】
2005134614.tif 000006
【図５】
2005134614.tif 000007
【図６】
2005134614.tif 000008
【図７】
2005134614.tif 000009
【図８】
2005134614.tif 000010
【図９】
2005134614.tif 000011
【図１０】
2005134614.tif 000012
【図１１】
2005134614.tif 000013
【図１２】
2005134614.tif 000014